(57)【特許請求の範囲】
【請求項１】
エアゾール容器のステムに嵌着固定される本体部材と、この本体部材に取り付けられ先端が開口されたシリンダ部材と、このシリンダ部材に往復動自在に装着され先端部に噴口および押圧マッサージ部を備える押圧ピストン部材と、前記ステムから吐出される内容物の圧力で前記押圧ピストン部材を往復動させる往復動機構とからなり、前記往復動機構を、前記本体部材に設け内容物の吐出圧力で閉じられる逆止弁と、前記シリンダ部材の前記逆止弁の吐出側に設けられるシリンダ室と、前記押圧ピストン部材の基端部に設けられ内容物による吐出圧力を受ける受圧部と、前記押圧ピストン部材の基端部に設けられ前記逆止弁を開閉する操作部と、前記押圧ピストン部材に設けられ前記受圧部に開口し前記噴口と連通される内容物流路とで構成してなり、前記押圧マッサージ部を目的部位に直接押し付け内容物の吐出圧力および前記押圧ピストン部材の往復動に伴うエアゾール容器の相対移動で噴射と同時にマッサージ効果を得ることを特徴とするエアゾール容器用のバイブレートアクチュエータ。
【発明の詳細な説明】
【０００１】
【発明の属する技術分野】
この発明はエアゾール容器用のバイブレートアクチュエータに関し、内容物の圧力とエアゾール容器自体の重量を利用して大きな荷重振動でマッサージしながら噴射できるようにしたものである。
【０００２】
【従来の技術】
従来から筋肉消炎剤や育毛剤などを目的部位に塗布する際、マッサージしながら塗布することがより効果的であるとされており、筋肉消炎剤や育毛剤などを内容物とするエアゾール容器では、内容物の圧力を利用して振動を発生させてマッサージ効果を得るようにしている。
【０００３】
例えば、実開平３−７０７６０号公報に開示されたエアゾール製品では、図３に示すように、エアゾール容器１のステム２に取り付けた噴霧ヘッド部材３の噴口４までの流路の途中に環状流通路５を形成してスチールボール６を収納し、内容物の圧力でスチールボール６を振動させ、これを噴霧ヘッド部材３に伝達することで、噴射と同時にマッサージができるようにしている。
【０００４】
また、特開平２−１４０１７５号公報には、図４に示すように、エアゾール容器１の内容物の流路の途中に内容物の運動エネルギを振動動作に変化する振動発生機構７を設けるマッサージ用エアゾール装置が開示されており、具体的な振動発生機構７として、同図（ａ）に示すように、円盤状の回転体８を振動させたり、同図（ｂ）に示すように、バネ９で付勢された振動体１０を内容物の圧力で往復動させて振動させ、これらの振動をマッサージ部１１に伝達して噴射と同時にマッサージができるようにしている。
【０００５】
【発明が解決しようとする課題】
ところが、従来のいずれのマッサージ機構でも内容物の圧力などを利用して振動体６，８，１０を振動させ、その振動を噴霧ヘッド部材３やマッサージ部１１に伝え、目的部位をマッサージするものであり、振動体６，８，１０の重量が軽く、しかも振動体６，８，１０の振動を噴霧ヘッド部材３やマッサージ部１１を介して伝達することから目的部位に加わる荷重振動そのものが小さく弱いという問題がある。
【０００６】
また、従来のいずれのマッサージ機構でも、目的部位に塗布する状態に保持する場合に限らず、いたずらや誤ってマッサージ部を押した場合に、直ちに噴射とともに振動が発生してしまうという問題があるとともに、振動の強さや噴射量のコントロールがやり難いという問題もあった。。
【０００７】
この発明はかかる従来技術の有する課題を解決するためになされたもので、エアゾール容器自体の重量も利用して大きな荷重振動を発生させ、目的部位に直接振動を伝えマッサージすることができるとともに、いたずらなどで噴射と振動が起こらず、振動の強さや噴射量のコントロールが容易なエアゾール容器用のバイブレートアクチュエータを提供しようとするものである。
【０００８】
【課題を解決するための手段】
上記従来技術が有する課題を解決するため、この発明の請求項１記載のエアゾール容器用のバイブレートアクチュエータは、エアゾール容器のステムに嵌着固定される本体部材と、この本体部材に取り付けられ先端が開口されたシリンダ部材と、このシリンダ部材に往復動自在に装着され先端部に噴口および押圧マッサージ部を備える押圧ピストン部材と、前記ステムから吐出される内容物の圧力で前記押圧ピストン部材を往復動させる往復動機構とからなり、前記往復動機構を、前記本体部材に設け内容物の吐出圧力で閉じられる逆止弁と、前記シリンダ部材の前記逆止弁の吐出側に設けられるシリンダ室と、前記押圧ピストン部材の基端部に設けられ内容物による吐出圧力を受ける受圧部と、前記押圧ピストン部材の基端部に設けられ前記逆止弁を開閉する操作部と、前記押圧ピストン部材に設けられ前記受圧部に開口し前記噴口と連通される内容物流路とで構成してなり、前記押圧マッサージ部を目的部位に直接押し付け内容物の吐出圧力および前記押圧ピストン部材の往復動に伴うエアゾール容器の相対移動で噴射と同時にマッサージ効果を得ることを特徴とするものである。
【０００９】
このエアゾール容器用のバイブレートアクチュエータによれば、エアゾール容器のステムに本体部材を嵌着固定し、この本体部材に先端が開口したシリンダ部材を取り付け、このシリンダ部材に往復動自在に、先端部に噴口および押圧マッサージ部を備える押圧ピストン部材を装着し、往復動機構を設けてステムから吐出される内容物の圧力で押圧ピストン部材を往復動させるようにしており、押圧マッサージ部を目的部位に直接押し付けてエアゾール容器内の内容物を吐出させ、その吐出圧力と押圧ピストン部材の往復動に伴うエアゾール容器の相対移動で噴射と同時にマッサージ効果を得るようにし、荷重の大きな振動によるマッサージ効果が得られるようになる。
【００１１】
また、往復動機構を、本体部材に設け内容物の吐出圧力で閉じられる逆止弁と、シリンダ部材の逆止弁の吐出側に設けられるシリンダ室と、押圧ピストン部材の基端部に設けられ内容物による吐出圧力を受ける受圧部、逆止弁を開閉する操作部、受圧部に開口し噴口と連通される内容物流路とで構成するようにしており、押圧ピストン部材の先端部の押圧マッサージ部を目的部位に押し当るようにして操作部で逆止弁を開くと同時に内容物を噴射させ、操作部が移動して逆止弁が閉じられるまでの間、内容物の圧力を逆止弁を介して押圧ピストン部材の受圧部に加えて目的部位に押し付けながら噴口から噴射することと、噴射圧力で操作部が移動して逆止弁が閉じられたのちの受圧部に加わる内容物が内容物流路を介して噴射されることによる圧力低下と使用者の目的部位への押付力で押圧ピストン部材が戻されて操作部で逆止弁を開くこととが繰り返されるようになる。
【００１２】
これにより、使用者自身の目的部位への押圧ピストンの押し付けによって押付マッサージ部に押圧力が加わるとともに、押し付けられた押圧マッサージ部がほとんど動かないことから、押圧ピストン部材の往復移動によってエアゾール容器自体に相対移動が生じ、これを利用して噴射と同時にマッサージ効果を得ることができるようになり、従来に比べ大きい荷重振動を、直接目的部位に加えることができ、しかも目的部位への押付状態の保持で振動が生じることから、エアゾール容器を押圧状態にしない限り内容物の噴射と振動が発生せず、いたずら等による問題を解消できるようになる。
【００１３】
また、エアゾール容器の押付状態を変えることで、振動源となる内容物の噴射量や振動の強さを意識的にコントロールすることもできるようになる。
【００１４】
【発明の実施の形態】
以下、この発明のエアゾール容器のバイブレートアクチュエータの一実施の形態について図面に基づき詳細に説明する。
【００１５】
図１および図２はこの発明のエアゾール容器のバイブレートアクチュエータの一実施の形態にかかる縦断面図および動作状態の説明断面図である。
【００１６】
このエアゾール容器のバイブレートアクチュエータ２０（以下、単にアクチュエータとする。）は、筋肉消炎剤や育毛剤などを目的部位に塗布する際にマッサージしながら塗布することがより効果的であるとされる内容物が充填されたエアゾール容器１のステム２の取り付けて使用されるもので、使用する場合には転倒させて使用するが、ここでは正立状態に基づいて構造を説明する。
【００１７】
このアクチュエータ２０は、ステム２に嵌着される本体部材２１を備えており、例えば合成樹脂などで成形された本体部２２とステム嵌着部２３とで構成されている。
【００１８】
この本体部材２１を構成する本体部２２は、基端の円柱状の基端大径部２２ａと、その上部に段差を介して小径に形成され上方に向かって僅かに細くなった頭部を切り欠いた円錐状の中間テーパ部２２ｂと、さらにその先端に段差を介して小径に形成され上方に向かって僅かに細くなった頭部を切り欠いた円錐状の先端テーパ部２２ｃとが連続した外側形状とされる一方、中心部には、基端面から中間テーパ部２２ｂの途中までにステム嵌着部２３を装着するための円筒状の装着孔２２ｄが形成され、その先端に段差を介して小径円筒状の逆止弁装着孔２２ｅが形成されるとともに、先端に細径の円錐面が形成されて弁座２２ｆとされ、弁座２２ｆの中心に弁操作孔２２ｇが先端面に開口して形成されている。
【００１９】
この本体部２２の基端面側の装着孔２２ｄに装着されるステム嵌着部２３は、装着孔２２ｄの大きさに対応した外径の円柱状とされ、その中心部にステム２が嵌合連結されるステム取付孔２３ａが中間部まで形成され、このステム取付孔２３ａの先端に連通して小径の内容物の吐出孔２３ｂが形成されるとともに、先端面に吐出孔２３ｂと連通する放射状の吐出溝２３ｃが形成してある。
【００２０】
このようなステム嵌着部２３が本体部２２の装着孔２２ｄに装着固定されて本体部材２１が構成されるが、固定方法は、接着剤や外周部に形成するねじ等、固定できるものであれば良い。
【００２１】
さらに、この本体部材２１には、逆止弁２４が設けられており、本体部２２の逆止弁装着孔２２ｅに球形の弁体２４ａが入れられ、ステム嵌着部２３で蓋をする形で弁体２４ａが保持されている。
【００２２】
これにより、ステム嵌着部２３の吐出孔２３ｂおよび突出溝２３ｃからの内容物の圧力および転倒使用時の自重で弁体２４ａが弁座２２ｆに着座して弁を閉じる一方、弁操作孔２２ｇを介して弁体２４ａを押すことで弁を強制的に開くことができるようになっている。
【００２３】
このような逆止弁２４を備えた本体部材２１には、その外側にシリンダ部材２５が取付けられ、逆止弁２４の吐出側にシリンダ室２６を形成するようになっている。このシリンダ部材２５は本体部材２１の本体部２２の基端大径部２２ａの外周および中間テーパ部２２ｂとの段差部を介して嵌合固定され、中間テーパ部２２ｂの外周に円筒状の大径シリンダ室２６ａが形成されるとともに、この大径シリンダ室２６ａの先端に僅かな段差部２６ｂを介してさらに僅かに小径の小径シリンダ室２６ｃが形成され、先端が開口した状態となっている。
【００２４】
このシリンダ部材２５のシリンダ室２６内には、押圧ピストン部材２７が往復動自在に装着される。この押圧ピストン部材２７は、外形が２段の円柱部で構成され、基端ピストン部２７ａが大径シリンダ室２６ａに対応した外径とされ、段差を介した先端ピストン部２７ｂが小径シリンダ室２６ｃに対応した外径としてあり、押圧ピストン部材２７の先端方向への移動がシリンダ室２６の段差２６ｄと押圧ピストン部材２７の段差２７ｃによって規制されるようになっている。
【００２５】
この押圧ピストン部材２７の基端中心部には、本体部材２１の本体部２２の外径に応じた形状の凹部が形成され、基端側から中間テーパ部２２ｂに対応した円錐面で構成されたスカート部となる基端凹部２７ｄと、段差部２７ｅを介して先端テーパ部２２ｃに対応した頭部を切り欠いた円錐状の先端凹部２７ｆおよびこの先端凹部２７ｆの中心から基端側に突出した弁操作孔２２ｇに挿脱可能な円筒状の弁操作部２７ｇとが形成されている。
【００２６】
そして、この押圧ピストン部材２７では、その先端部が押圧マッサージ部２８とされる一方、基端凹部２７ｄと先端凹部２７ｆとの間の水平な段差部２７ｅ及び弁操作部２７ｇの外側の環状の水平面が受圧部２９とされる。また、この押圧ピストン部材２７では、その先端面の押圧マッサージ部２８に、中心に噴口３０が形成されるとともに、この噴口３０に連通する放射状の噴射溝３０ａが形成され、噴口３０と受圧部２９となる段差部２７ｅとの間には、これらを連通する内容物流路３１が形成してある。
【００２７】
このような押圧ピストン部材２７がシリンダ部材２５に装着された状態では、図１に示すように、押圧ピストン部材２７が本体部材２１との間にわずかな隙間を介して当接する状態となり、弁操作部２７ｇが本体部材２１の弁操作孔２２ｇに突出して弁体２４ａを開放状態にするとともに、シリンダ室２６の段差２６ｄと押圧ピストン部材２７の段差２７ｃとの間に押圧ピストン部材２７の往復移動範囲（ストローク）分の隙間が形成されるようになっている。
【００２８】
次に、このように構成したエアゾール容器用のバイブレートアクチュエータ２０の作用について、図２に基づいて説明する。
【００２９】
このアクチュエータ２０のステム取付孔２３ａにエアゾール容器１のステム２を嵌合した状態とし、エアゾール容器１ごと転倒させ、押圧ピストン部材２７の先端の押圧マッサージ部２８を頭皮などの目的部位１２に押し当てる。
【００３０】
すると、図２（ａ）に示すように、押圧ピストン部材２７を介して本体部材２１が押され、ステム２を押して内容物が吐出状態となる。そして、内容物がステム２からステム嵌着部２３の吐出孔２３ｂおよび吐出溝２３ｃを経て逆止弁装着孔２２ｅ内に吐出され、弁操作部２７ｇで開放状態となっている逆止弁２４を経て押圧ピストン部材２７の背面に内容物が流入するとともに、内容物流路３１を介して先端の噴口３０および噴射溝３０ａから噴射される。
【００３１】
これと同時に、図２（ｂ）に示すように、押圧ピストン部材２７の背面に内容物が吐出する結果、内容物の圧力が押圧ピストン部材２７の背面の受圧部２９に作用し、押圧ピストン部材２７を前方に押出し、押圧マッサージ部２８で目的部位１２を押すことになる。
【００３２】
さらに、押圧ピストン部材２７の前方への押出しに伴って相対的にエアゾール容器１が押し戻（上昇）され、押圧ピストン部材２７の本体部材２１との間の隙間が大きくなって弁操作部２７ｇが後退し、弁体２４ａが弁座２２ｆに着座して逆止弁２４が閉じられる。
【００３３】
このため、図２（ｃ）に示すように、押圧ピストン部材２７の背面への内容物の吐出が止まり、押圧ピストン部材２７の背面に吐出された内容物が内容物流路３１を介して先端の噴口３０および噴射溝３０ａから噴射され、その圧力が低下するとともに、エアゾール容器１に加わる目的部位への押付力によって押圧ピストン部材２７が押し戻され、相対的にエアゾール容器１が目的部位１２に近づくように移動（下降）する。
【００３４】
すると、押圧ピストン部材２７の弁操作部２７ｇが逆止弁２４の弁体２４ａを押し、再び内容物が逆止弁２４を介して押圧ピストン部材２７の背面に吐出され、最初の吐出状態に戻る。
【００３５】
このような押圧ピストン部材２７の往復動作と逆止弁２４の開閉の繰り返しに伴って目的部位１２に押圧ピストン部材２７が直接押し付けられるとともに、目的部位に押し付けられているエアゾール容器１自体の相対的な往復移動が生じ、これらの動きの繰り返しによって目的部位１２に荷重の大きな振動が加わり、大きなマッサージ効果が生じると同時に内容物の噴射が行われる。
【００３６】
したがって、このアクチュエータ２０では、従来の振動体を振動させ、この振動をマッサージ部に伝達して間接的にマッサージ効果を得る場合に比べ、押圧ピストン部材２７を直接目的部位１２に押し付けてマッサージすることができるとともに、押圧ピストン部材２７の往復動作とこれに伴うエアゾール容器１自体の相対位動による大きな荷重の振動でマッサージすることができる。
【００３７】
また、このアクチュエータ２０では、押圧ピストン部材２７を目的部位１２に保持した状態で初めて振動が生じることから、いたずら等で噴射させても振動がただちに生じることがなく、安全である。
【００３８】
さらに、このアクチュエータ２０では、エアゾール容器１の目的部位１２への押付状態を変えることで、振動源となる内容物の噴射量を変えることができるとともに、これによって押圧ピストン部材２７に作用する内容物の吐出圧力が変化し、目的部位１２への押付力が変わり、振動の強さ（マッサージの強さ）を意識的にコントロールすることができる。
【００３９】
また、このアクチュエータ２０は構成部品が少なくて済み、組み立てなどが用意にできるとともに、製造コストの低減を図ることができる。
【００４０】
【発明の効果】
以上一実施の形態とともに具体的に説明したように、この発明の請求項１記載のエアゾール容器用のバイブレートアクチュエータによれば、エアゾール容器のステムに本体部材を嵌着固定し、この本体部材に先端が開口したシリンダ部材を取り付け、このシリンダ部材に往復動自在に、先端部に噴口および押圧マッサージ部を備える押圧ピストン部材を装着し、往復動機構を設けてステムから吐出される内容物の圧力で押圧ピストン部材を往復動させるようにしたので、押圧マッサージ部を目的部位に直接押し付けてエアゾール容器内の内容物を吐出させ、その吐出圧力と押圧ピストン部材の往復動に伴うエアゾール容器の相対移動で噴射と同時にマッサージ効果を得ることができ、しかも荷重の大きな振動によるマッサージ効果を得ることができる。
【００４１】
また、往復動機構を、本体部材に設け内容物の吐出圧力で閉じられる逆止弁と、シリンダ部材の逆止弁の吐出側に設けられるシリンダ室と、押圧ピストン部材の基端部に設けられ内容物による吐出圧力を受ける受圧部、逆止弁を開閉する操作部、受圧部に開口し噴口と連通される内容物流路とで構成するようにしたので、押圧ピストン部材の先端部の押圧マッサージ部を目的部位に押し当るようにして操作部で逆止弁を開くと同時に内容物を噴射させ、操作部が移動して逆止弁が閉じられるまでの間、内容物の圧力を逆止弁を介して押圧ピストン部材の受圧部に加えて目的部位に押し付けながら噴口から噴射することと、噴射圧力で操作部が移動して逆止弁が閉じられたのちの受圧部に加わる内容物が内容物流路を介して噴射されることによる圧力低下と使用者の目的部位への押付力で押圧ピストン部材が戻されて操作部で逆止弁を開くこととが繰り返される。
【００４２】
これにより、使用者自身の目的部位への押圧ピストンの押し付けによって押付マッサージ部に押圧力が加わるとともに、押し付けられた押圧マッサージ部がほとんど動かないことから、押圧ピストン部材の往復移動によってエアゾール容器自体に相対移動が生じ、これを利用して噴射と同時にマッサージ効果を得ることができるとともに、従来に比べ大きい荷重振動を、直接目的部位に加えることができ、しかも目的部位への押付状態の保持で振動が生じることから、エアゾール容器を押圧状態にしない限り内容物の噴射と振動が発生せず、いたずら等による問題を解消することができる。
【００４３】
また、エアゾール容器の押付状態を変えることで、振動源となる内容物の噴射量や振動の強さを意識的にコントロールすることもできる。
【図面の簡単な説明】
【図１】この発明のエアゾール容器のバイブレートアクチュエータの一実施の形態にかかる縦断面図である。
【図２】この発明のエアゾール容器のバイブレートアクチュエータの一実施の形態にかかる動作状態の説明断面図である。
【図３】従来のマッサージ機構の断面図である。
【図４】それぞれ従来の振動発生機構の断面図である。
【符号の説明】
１  エアゾール容器
２  ステム
１２  目的部位
２０  エアゾール容器用のバイブレートアクチュエータ
２１  本体部材
２２  本体部
２３  ステム嵌着部
２４  逆止弁
２５  シリンダ部材
２６  シリンダ室
２７  押圧ピストン部材
２８  押圧マッサージ部
２９  受圧部
３０  噴口
３１  内容物流路
【図１】
0003966436.tif 000002
【図２】
0003966436.tif 000003
【図３】
0003966436.tif 000004
【図４】
0003966436.tif 000005